(57)【要約】【課題】個人情報が記録された発行済みのものであってもあとから顔写真を印刷でき、セキュリティ性や個人の確認精度の向上を図ることで利便性の高いＩＤカードを提供できるようにする。【解決手段】プリンタに対してＩＤカードが所定位置にセットされれば、エリア設定手段の操作による印刷エリアの設定がなされ（Ｓ１のＹＥＳ、Ｓ２）、その後印刷処理が実行され（Ｓ３）、印刷終了と判断されると（Ｓ４のＹＥＳ）、動作は終了する。その結果、発行済みのＩＤカードに対して、あとから顔写真を印刷することができ、セキュリティ性や個人の確認精度の向上を図ることで利便性の高いＩＤカードを提供することができ、しかもカード所有者本人が顔写真を撮像してＩＤカードに印刷するという一連の作業を行うため、写真の取り違え等のミスの発生を防止できる。【選択図】　　　　図３
2004114385.tif 000002
【特許請求の範囲】
【請求項１】
カード基板の情報エリアに、カード所有者の氏名、生年月日、そのカード所有者に割り付けられたＩＤ番号などのそのカード所有者を特定するための個人情報が記録されたＩＤカードを作成するＩＤカード作成装置において、
カード所有者本人の顔写真を撮像する撮像手段と、
個人情報がすでに記録済みの前記カード基板における所定の印刷エリアを指定する指定手段と、
前記指定手段により指定された前記印刷エリアに、前記撮像手段により撮像された顔写真の画像を印刷する印刷手段と
を備えていることを特徴とするＩＤカード作成装置。
【請求項２】
前記指定手段が、設定手段の操作により入力設定されたエリアを前記印刷エリアとして指定するものであることを特徴とする請求項１に記載のＩＤカード作成装置。
【請求項３】
個人情報の少なくとも一部がエンボス加工により前記情報エリアに記録されており、
前記印刷エリアが、エンボス加工による前記情報エリアを含まないエリアであることを特徴とする請求項１または２に記載のＩＤカード作成装置。
【請求項４】
前記指定手段が、エンボス加工による前記情報エリアを含まないエリアを前記印刷エリアとして検出するものであり、
前記印刷手段が、前記指定手段により検出された前記印刷エリアに前記顔写真を印刷する
ことを特徴とする請求項３に記載のＩＤカード作成装置。
【請求項５】
カード基板の情報エリアに、カード所有者の氏名、生年月日、そのカード所有者に割り付けられたＩＤ番号などのそのカード所有者を特定するための個人情報が記録されたＩＤカードを作成するＩＤカード作成方法において、
カード所有者本人の顔写真を撮像する撮像工程と、
個人情報がすでに記録済みの前記カード基板における所定の印刷エリアを指定する指定工程と、
前記指定工程により指定した前記印刷エリアに、前記撮像工程により撮像した顔写真の画像を印刷する印刷工程と
を含むことを特徴とするＩＤカード作成方法。
【請求項６】
カード基板の情報エリアに、カード所有者の氏名、生年月日、そのカード所有者に割り付けられたＩＤ番号などのそのカード所有者を指定するための個人情報が記録されたＩＤカードであって、
個人情報がすでに記録済みの前記カード基板の所定の印刷エリアに、撮像手段により撮像したカード所有者本人の顔写真の画像が印刷されたものである
ことを特徴とするＩＤカード。
【請求項７】
個人情報の少なくとも一部がエンボス加工により前記情報エリアに記録されており、
前記印刷エリアが、エンボス加工による前記情報エリアを含まないエリアであることを特徴とする請求項６に記載のＩＤカード。
【発明の詳細な説明】
【０００１】
【発明の属する技術分野】
この発明は、カード基板の情報エリアに、カード所有者の氏名、生年月日、ＩＤ番号などのそのカード所有者を特定するための個人情報が記録されたＩＤカードを作成するＩＤカード作成装置及び作成方法並びにＩＤカードに関する。
【０００２】
【従来の技術】
一般に、銀行が発行するキャッシュカード或いはデビットカード、信販会社が発行するクレジットカード、医療機関が発行する診察カード等のＩＤカードは、樹脂等から成るカード基板に設けられた所定の情報エリアに、カード所有者の氏名、生年月日、住所、ＩＤ番号などのそのカード所有者を特定するための個人情報が記録されている。
【０００３】
このとき、カード基板に例えば磁気テープが貼付されて形成された磁気ストライプに個人情報が磁気的に記録されたり、カード基板に埋設されたＩＣメモリチップに個人情報が記録されるほか、カード基板に凹凸によるいわゆるエンボス加工が施されてカード所有者の氏名やＩＤ番号等の個人情報が記録されるようになっている。
【０００４】
ところが、磁気ストライプやＩＣメモリチップに記録された個人情報は、不正に読み取られことがあり、その結果偽造カード或いは変造カードの横行を招くという問題があることから、セキュリティ性や個人の確認精度の向上のために、ＩＤカードにカード所有者の顔写真を印刷或いは貼付することも行われている（例えば、特許文献１参照）。
【０００５】
【特許文献１】
特開平５−２９０２３０号公報（第２−３頁）
【０００６】
【発明が解決しようとする課題】
しかし、このような顔写真付きのＩＤカードの場合、ＩＤカードの作成時、つまりカード基板にカード所有者の氏名やＩＤ番号を印刷する際に顔写真を印刷したり貼付したりするのが通常である。特に、エンボス加工が施されるＩＤカードの場合には、顔写真の印刷はカード基板の全面を印刷ヘッドが走査（スキャニング）して印刷が行われることから、カード表面に凹凸があると、印刷ヘッドの邪魔になって走査できないため、必ずエンボサによるエンボス（凹凸）加工前に顔写真の印刷を行う必要がある。
【０００７】
このような事情から、従来、すでに個人情報が記録されてカード所有者に発行されたＩＤカードに対して、あとから顔写真を印刷、貼付することは不可能であった。
【０００８】
従来、発行済みのＩＤカードに顔写真を付加する手法として、ＩＤカード所有者に対し、所定サイズの顔写真を撮影して持参してもらい、持参された顔写真をＩＤカードに貼付するか、持参された顔写真をスキャナ等により読み込んでＩＤカードの所定位置に顔写真データを印刷するか、或いは、カード所有者本人に所有のＩＤカードに顔写真を貼付してもらうかしかなかった。
【０００９】
ところが、このようにカード所有者本人に顔写真を持参してもらっても、カード所有者以外の第三者が顔写真を貼付したり、スキャナ等により読み込んで印刷する作業が介在するため、このような第三者の作業が介在することに起因して、カード所有者とは異なる他人の顔写真を誤って印刷、貼付するといったミスが生じるおそれがあった。
【００１０】
また、カード所有者本人に自分の顔写真の貼付を任せる場合には、このように他人の顔写真を貼付するはない半面、顔写真を貼付し忘れてしまうことが多く、セキュリティ性や個人の確認精度の向上という観点からは、必ずしも有効な策とは言えないという問題点があった。
【００１１】
そこで、本発明は、個人情報が記録された発行済みのものであってもあとから顔写真を印刷でき、セキュリティ性や個人の確認精度の向上を図ることで利便性の高いＩＤカードを提供できるようにすることを目的とする。
【００１２】
【課題を解決するための手段】
上記した目的を達成するために、本発明にかかるＩＤカード作成装置は、カード基板の情報エリアに、カード所有者の氏名、生年月日、そのカード所有者に割り付けられたＩＤ番号などのそのカード所有者を特定するための個人情報が記録されたＩＤカードを作成するＩＤカード作成装置において、カード所有者本人の顔写真を撮像する撮像手段と、個人情報がすでに記録済みの前記カード基板における所定の印刷エリアを指定する指定手段と、前記指定手段により指定された前記印刷エリアに、前記撮像手段により撮像された顔写真の画像を印刷する印刷手段とを備えていることを特徴としている。
【００１３】
このような構成によれば、指定手段により、個人情報がすでに記録されたカード基板における印刷エリアが指定され、印刷手段により、その指定された印刷エリアに撮像された顔写真が印刷されるため、カード所有者に対して発行済みのものであってもあとから顔写真を印刷できる。
【００１４】
そのため、カード所有者に対して発行された個人情報を記録済みのＩＤカードであっても、そのＩＤカードにあとから顔写真を印刷することができ、セキュリティ性や個人の確認精度の向上を図ることで利便性の高いＩＤカードを提供することができる。
【００１５】
更に、カード所有者本人が顔写真を撮像してＩＤカードに印刷するという一連の作業を行うことから、顔写真を持参したカード所有者本人以外の第三者が、その持参した顔写真とＩＤカードに印刷或いは貼付する場合のように、写真の取り違え等のミスの発生を防止できる。
【００１６】
ここで、本発明は、ＩＤカードの例として銀行等の金融機関が発行するキャッシュカードやデビットカード、信販会社が発行するクレジットカードをはじめ、病院が発行する診察カード等、個人情報が記録されるものであって、顔写真をカード所有者の認定に使用する類のＩＤカードに対して適用することができる。
【００１７】
また、本発明にかかるＩＤカード作成装置は、前記指定手段が、設定手段の操作により入力設定されたエリアを前記印刷エリアとして指定するものであることを特徴としている。
【００１８】
このような構成によれば、作業者が設定手段を操作して規定のエリアを設定することにより、印刷エリアが指定されて指定手段により指定されるため、カード所有者に対して発行された個人情報を記録済みのＩＤカードに、設定通りの印刷エリアにカード所有者の顔写真を印刷することができる。
【００１９】
また、本発明にかかるＩＤカード作成装置は、個人情報の少なくとも一部がエンボス加工により前記情報エリアに記録されており、前記印刷エリアが、エンボス加工による前記情報エリアを含まないエリアであることを特徴としている。
【００２０】
このような構成によれば、エンボス加工による情報エリアを含まないエリアを印刷エリアとするため、顔写真を円滑かつ容易に印刷することができる。
【００２１】
また、本発明にかかるＩＤカード作成装置は、前記指定手段が、エンボス加工による前記情報エリアを含まないエリアを前記印刷エリアとして検出するものであり、前記印刷手段が、前記指定手段により検出された前記印刷エリアに前記顔写真を印刷することを特徴としている。
【００２２】
このような構成によれば、指定手段により、エンボス加工による情報エリアを含まないエリアが印刷エリアとして検出されるため、エンボス加工された箇所を外して顔写真を自動的に印刷することができる。
【００２３】
また、本発明にかかるＩＤカード作成方法は、カード所有者本人の顔写真を撮像する撮像工程と、個人情報がすでに記録済みの前記カード基板における所定の印刷エリアを指定する指定工程と、前記指定工程により指定した前記印刷エリアに、前記撮像工程により撮像した顔写真の画像を印刷する印刷工程とを含むことを特徴としている。
【００２４】
このような構成によれば、カード所有者に対して発行された個人情報を記録済みのＩＤカードであっても、そのＩＤカードにあとから顔写真を印刷することができ、セキュリティ性や個人の確認精度の向上を図ることで利便性の高いＩＤカードを提供することができる。
【００２５】
また、本発明にかかるＩＤカードは、カード基板の情報エリアに、カード所有者の氏名、生年月日、そのカード所有者に割り付けられたＩＤ番号などのそのカード所有者を指定するための個人情報が記録されたＩＤカードであって、個人情報がすでに記録済みの前記カード基板の所定の印刷エリアに、撮像手段により撮像したカード所有者本人の顔写真の画像が印刷されたものであることを特徴としている。
【００２６】
このような構成によれば、カード所有者に対して発行された個人情報を記録済みのＩＤカードに、あとから顔写真を印刷することができるため、セキュリティ性や個人の確認精度の向上を図ることで利便性の高いＩＤカードを提供することができる。
【００２７】
また、本発明にかかるＩＤカードは、個人情報の少なくとも一部がエンボス加工により前記情報エリアに記録されており、前記印刷エリアが、エンボス加工による前記情報エリアを含まないエリアであることを特徴としている。
【００２８】
このような構成によれば、エンボス加工による情報エリアを含まないエリアを印刷エリアとして顔写真が印刷されるため、カード所有者に対して発行された個人情報を記録済みのＩＤカードに、あとからカード所有者の顔写真を円滑かつ容易に印刷することができ、セキュリティ性や個人の確認精度の向上を図ることで利便性の高いＩＤカードを提供することができる。
【００２９】
【発明の実施の形態】
この発明を、病院が発行する診察カードの作成に適用した場合の一実施形態について図１ないし図４を参照して説明する。但し、図１はブロック図、図２はＩＤカードの平面図、図３及び図４は動作説明用フローチャートである。
【００３０】
本実施形態におけるＩＤカード作成装置は、図１に示すように構成されている。即ち、図１に示すように、撮像手段であるＣＣＤデジタルカメラ１と、情報エリアに、カード所有者の氏名、生年月日、そのカード所有者に割り付けられたＩＤ番号などのそのカード所有者を特定するための個人情報が記録されたＩＤカードに対して、顔写真を印刷する印刷エリアを設定するためのキーボード等から成るエリア設定手段３と、カメラ１により撮像された顔写真の画像データを記憶する半導体メモリやハードディスク等から成るメモリ５と、ＣＰＵ７と、インターフェイス（以下、Ｉ／Ｆと称する）９を介してＣＰＵ７に接続された印刷手段であるプリンタ１１とを備えている。
【００３１】
そして、エリア設定手段３の操作により所定のエリアデータが入力設定されると、ＣＰＵ７により、設定されたエリアが印刷エリアとしてプリンタ１１に指定される。このとき、例えば図２に示すような診察カードであるＩＤカード１３では、樹脂から成るカード基板の裏面に、個人情報が磁気的に記録される磁気ストライプＭが形成されると共に、個人情報がエンボス（凹凸）加工により記録されたエンボスエリアＥが形成されており、これら情報エリアである磁気ストライプＭ及びエンボスエリアＥ以外に印刷エリアＰが設定される。
【００３２】
具体的には、例えば図２に示すＩＤカード１３の磁気ストライプＭ及びエンボスエリアＥの形成位置は画一的に決められたもので予めわかっているため、例えばＩＤカード１３の互いに直交する２辺からの距離データを入力することで、印刷エリアＰの直交する２辺を決定し、決定した２辺の長さデータを更に入力することにより、図２中の１点鎖線で囲まれた矩形の印刷エリアＰを設定することができる。
【００３３】
また、このように印刷エリアＰが設定されると、設定されたエリアがＣＰＵ７により印刷エリアＰとして認識され、この印刷エリアＰの大きさや位置に関するデータ、及び、メモリ５に記憶されている顔写真の画像データがＩ／Ｆ９を介してプリンタ１１に送信され、プリンタ１１によりこれらのデータが受信されると、受信データに基づき印刷エリアＰが指定されて、その印刷エリアＰに受信された画像データに基づく顔写真が印刷される。このようなＣＰＵ７による印刷エリアＰの指定処理が指定手段に相当する。
【００３４】
次に、動作について図３及び図４のフローチャートを参照して説明する。いま、図３に示すように、プリンタ１１に対してＩＤカード１３が所定位置にセットされたか否かの判定がなされ（Ｓ１）、この判定結果がＮＯであれば判定結果がＹＥＳになるまでこの判定が繰り返され、判定結果がＹＥＳになれば、エリア設定手段３の操作による印刷エリアＰの設定がなされ（Ｓ２）、その後印刷処理が実行され（Ｓ３）、印刷が終了したか否かの判定がなされ（Ｓ４）、この判定結果がＮＯであればステップＳ３に戻り、判定結果がＹＥＳであれば動作は終了する。
【００３５】
続いて、上記したステップＳ３の印刷処理について説明すると、図４に示すように、カメラ１により撮像されたカード所有者の顔写真の画像データがメモリ５に有るか否かの判定がなされ（Ｓ１１）、この判定結果がＮＯであれば判定結果がＹＥＳになるまでこの判定が繰り返され、判定結果がＹＥＳであれば、その画像データによる顔写真サイズが印刷エリアＰのサイズに合うように画像データのサイズ合わせ処理が行われ（Ｓ１２）、サイズ合わせされた画像データに基づく顔写真がＩＤカード１３の印刷エリアＰに印刷され（Ｓ１３）、その後印刷処理が終了する。
【００３６】
このように、エリア設定手段３により設定された印刷エリアＰがＣＰＵ７により指定され、プリンタ１１により、その指定された印刷エリアＰに、カメラ１により撮像されたカード所有者の顔写真が印刷されるため、発行済みのＩＤカード１３の印刷エリアＰにあとから顔写真が印刷される。
【００３７】
従って、上記した実施形態によれば、病院の受付において、氏名や生年月日、ＩＤ番号等の個人情報が記録されて発行された診察カードであるＩＤカード１３に対して、あとから顔写真を印刷することができ、セキュリティ性や個人の確認精度の向上を図ることで利便性高いＩＤカードを提供することができる。
【００３８】
また、カード所有者本人が顔写真を撮像してＩＤカード１３に印刷するという一連の作業を行うため、顔写真を持参したカード所有者本人以外の第三者が、その持参した顔写真とＩＤカードに印刷或いは貼付する場合のように、写真の取り違え等のミスの発生を未然に防止することができる。
【００３９】
更に、このように病院の診察カードであるＩＤカード１３に受診者本人の顔写真を印刷することで、その受診者のカルテの取り違えによる誤診の発生を未然に防止することができ、人為的ミスによる誤診の抑制に有効に寄与することができる。
【００４０】
なお、本発明は上記した実施形態に限定されるものではなく、その趣旨を逸脱しない限りにおいて上述したもの以外に種々の変更を行うことが可能である。
【００４１】
例えば、上記した実施形態では、カード所有者本人がエリア設定手段３を操作してエリアデータを入力設定することにより、印刷エリアＰを指定するようにした場合について説明したが、印刷エリアＰを自動的に検出する検出機能を設けても構わない。
【００４２】
具体的には、プリンタ１１に対してＩＤカード１３が所定位置にセットした際に、接触式或いは非接触式のセンサにより、ＩＤカード１３の互いに直交する２辺を検出し、検出した２辺からの予め定められた距離の位置に、印刷エリアＰの直交する２辺を決定し、決定した２辺の長さを予め定められた値に設定することにより、矩形の印刷エリア（図２のＰを参照）を自動的に検出してプリンタ１１に指定すればよい。このとき、磁気ストライプＭ及びエンボスエリアＥといった情報エリアを含まないように印刷エリアＰが指定されるのは勿論である。
【００４３】
また、情報エリアとして磁気ストライプＭ及びエンボスエリアＥが形成されているＩＤカードにおいて、磁気ストライプＭはカードの裏面側に形成されることから、印刷エリアが磁気ストライプＭに重複していても磁気データの読み取りに影響は出ず、しかも磁気ストライプＭは特に凹凸もないため、印刷ヘッドの走査の邪魔になることもないが、エンボスエリアＥの凹凸はプリンタ１１等の印刷手段の印刷ヘッドが走査する際の邪魔になって印刷できなくなるため、エンボスエリアＥを有するＩＤカードの場合には、必ずこのエンボスエリアＥを避けるように印刷エリアを設定、指定する必要がある。
【００４４】
従って、磁気ストライプＭ及びエンボスエリアＥを有するＩＤカードの場合、少なくともエンボスエリアＥを含まないように印刷エリアを設定、指定すればよい。
【００４５】
更に、上記した実施形態では、ＩＤカード１３を病院が発行する診察カードとした場合について説明したが、その他本発明が適用可能なＩＤカードの例として、銀行等の金融機関が発行するキャッシュカードやデビットカード、信販会社が発行するクレジットカード等があり、要するに個人情報が記録されるものであって、顔写真をカード所有者の認定に使用する類のＩＤカードに対して本発明を適用することができて、上記した実施形態と同等の効果を得ることができる。
【００４６】
また、上記した実施形態では、印刷手段をプリンタ１１として説明しているが、印刷手段は、ＩＤカードに印刷できる機能を有するものであれば特にプリンタに限定されないのは言うまでもない。
【００４７】
更に、カメラにより撮像した顔写真の画像データを記憶するメモリも、上記したＣＰＵ７の外付けのメモリ５に限定されるものではなく、ＣＰＵ７の内蔵メモリに記憶するようにしても構わない。
【００４８】
また、上記した実施形態では、撮像手段をＣＣＤデジタルカメラ１として説明したが、撮像手段も特にＣＣＤデジタルカメラに限定されるものではない。
【００４９】
【発明の効果】
以上のように、請求項１，５に記載の発明によれば、個人情報がすでに記録されたカード基板における印刷エリアが指定され、その指定された印刷エリアに撮像された顔写真が印刷されるため、カード所有者に対して発行された個人情報を記録済みのＩＤカードであっても、そのＩＤカードにあとから顔写真を印刷することができ、セキュリティ性や個人の確認精度の向上を図ることで利便性の高いＩＤカードを提供することが可能になる。
【００５０】
しかも、カード所有者本人が顔写真を撮像してＩＤカードに印刷するという一連の作業を行うため、従来のような写真の取り違え等のミスの発生を未然に防止することが可能になる。
【００５１】
更に、ＩＤカードの種類を問わず、カード所有者に対して発行された個人情報を記録済みのＩＤカードに、あとから顔写真を印刷することができるため、印刷エリアを確保できるＩＤカードであれば、どのような種類のものであってもあとから顔写真の印刷を行うことができ、そのＩＤカードのセキュリティ性や利便性の向上を図ることができる。
【００５２】
また、請求項２に記載の発明によれば、作業者が設定手段を操作して規定のエリアを設定することにより、印刷エリアが指定されて指定手段により指定されるため、カード所有者に対して発行された個人情報を記録済みのＩＤカードに、設定通りの印刷エリアにカード所有者の顔写真を印刷することが可能になる。
【００５３】
また、請求項３に記載の発明によれば、エンボス加工による情報エリアを含まないエリアを印刷エリアとするため、顔写真を円滑かつ容易に印刷することが可能になる。
【００５４】
また、請求項４に記載の発明によれば、指定手段により、エンボス加工による情報エリアを含まないエリアが印刷エリアとして検出されるため、エンボス加工された箇所を外して顔写真を自動的に印刷することが可能になる。
【００５５】
また、請求項６に記載の発明によれば、カード所有者に対して発行された個人情報を記録済みのＩＤカードに、あとから顔写真を印刷することができるため、セキュリティ性や個人の確認精度の向上を図ることで利便性の高いＩＤカードを提供することが可能になる。
【００５６】
また、請求項７に記載の発明によれば、エンボス加工による情報エリアを含まないエリアを印刷エリアとして顔写真が印刷されるため、カード所有者に対して発行された個人情報を記録済みのＩＤカードに、あとからカード所有者の顔写真を円滑かつ容易に印刷することができ、セキュリティ性や個人の確認精度の向上を図ることで利便性の高いＩＤカードを提供することが可能になる。
【図面の簡単な説明】
【図１】この発明の一実施形態におけるブロック図である。
【図２】この発明の一実施形態における動作説明図である。
【図３】この発明の一実施形態における動作説明用フローチャートである。
【図４】この発明の一実施形態における動作説明用フローチャートである。
【符号の説明】
１　　デジタルカメラ（撮像手段）
３　　エリア設定手段
７　　ＣＰＵ（指定手段）
１１　プリンタ（印刷手段）
１３　ＩＤカード
Ｐ　　印刷エリア
Ｍ　　磁気ストライプ（情報エリア）
Ｅ　　エンボスエリア（情報エリア）
【図１】
2004114385.tif 000003
【図２】
2004114385.tif 000004
【図３】
2004114385.tif 000005
【図４】
2004114385.tif 000006